(57)【要約】      （修正有）【課題】排泄の視認性、漏れへの安心感、脚周り部分の防水性、通気性、吸収性に優れる紙おむつを提供する【解決手段】外形シート１２と外形シート１２の内面に股間部を中心として縦方向に延在する内装体２００を有する紙おむつであり、内装体２００は、少なくとも表面シート３０と、吸収要素５０と、不透液性バックシート１１と、バリヤーカフス６０とからなり、内装体２００の不透液性バックシート１１のＪＩＳ―Ｋ―７１０５による全光線透過率が６０％以上とし、バリヤーカフス６０のＪＩＳ―Ｋ―７１０５による全光線透過率が４５％以下とする。【選択図】図３
2011229866.tif 000002
【特許請求の範囲】
【請求項１】
外形シートと前記外形シートの内面に股間部を中心として縦方向に延存する内装体を有する紙おむつであって、
前記内装体は、少なくとも表面シートと、吸収要素と、不透液性バックシートと、バリヤーカフスとから構成され、
前記バリヤーカフスは、前記不透液性バックシートの裏面に延在し固着され、固着の始端部が前記バリヤーカフスの起立端を形成し、
前記不透液性バックシートのＪＩＳ―Ｋ―７１０５による全光線透過率が６０％以上であり、
前記バリヤーカフスのＪＩＳ―Ｋ―７１０５による全光線透過率が４５％以下である
ことを特徴とする紙おむつ。
【請求項２】
前記不透液性バックシートは、ＪＩＳ―Ｋ―７１０５による不透液性バックシートの全光線透過率が６０％以上のバックフィルムを有し、前記バリヤーカフスは、ＪＩＳ―Ｋ―７１０５による不透液性バックシートの全光線透過率が４５％以下のバリヤーフィルムを有する、請求項１に記載の紙おむつ。
【請求項３】
前記バリヤーフィルムのＪＩＳ―Ｚ―０２０８による透湿度が６０００〜１２０００ｇ／ｍ2・２４ｈｒである請求項１または２に記載の紙おむつ。
【請求項４】
前記バリヤーカフスが固着されていない前記不透液性バックシートの幅寸法が、前記吸収要素の幅寸法に対し２５〜３０％である請求項１乃至３に記載の紙おむつ。
【請求項５】
前記バリヤーカフスが固着されていない前記不透液性バックシートの前記吸収要素側の表面にお知らせマークが設けられている請求項１乃至４に記載の紙おむつ。
【発明の詳細な説明】
【技術分野】
【０００１】
本発明は、排泄の視認性、漏れへの安心感、脚周り部分の防水性、通気性、吸収性に優れる紙おむつに関するものである。
【背景技術】
【０００２】
従来より、使い捨て紙おむつ、尿取りパッド等の吸収性物品の吸収性、通気性、排泄の視認性を改善するため種々の手段が行なわれている。
例えば、特許文献１には、防水フィルムを内蔵するバリヤーカフス及びトップシートが、吸収体の裏面に延在し固着され、固着の始端部がバリヤーカフスの起立端を形成する構造により脚周り部分の防水性を強化した吸収性物品の吸収性および通気性を改善するために、吸収体の裏面側に設けられる防水フィルムを吸収体の幅方向長さに対し１／４だけ内側に設け、吸収体裏面側の防水フィルムとトップシート等の重なり幅を小さくする吸収性物品が開示されている。
特許文献２には、排泄の視認性、すなわち、使い捨ておむつに排尿、排便があった場合に、外部から容易に排尿、排便を認識することができるようにするため、吸収体の裏面側の全域にバックシートを設け、バックシートの３０〜７０％の幅方向中心部をＪＩＳ―Ｋ―７１０５による全光線透過率が６０％以上にする使い捨ておむつが開示されている。
特許文献３、４には、排泄の視認性、すなわち、吸収性物品に排尿、排便があった場合に、外部から容易に排尿、排便を認識することができるようにするため、水分インジケーターを備えた吸収性物品が開示されている。
【先行技術文献】
【特許文献】
【０００３】
【特許文献１】特開２００５−６５７２９号
【特許文献２】特開２００５―３２４０５７号
【特許文献３】特開２００９―７８１６３号
【特許文献４】特開２００５―２６１４６６号
【発明の概要】
【発明が解決しようとする課題】
【０００４】
しかし、特許文献１に記載の発明にあっては、吸収性、通気性に優れる吸収性物品ではあるが、バリヤーカフス内部の防水フィルムと吸収体裏面側の防水フィルムに、全光線透過率の低いものを用いる場合、排泄の視認性についてのさらなる改善が求められ、全光線透過率の高いものを用いる場合、吸収体裏面側から見た排泄の視認性は向上するが、バリヤーカフスを通して見える排泄の視認性も高くなり、着用者の保護者はバリヤーカフスから排泄物の色が透けて見えるのを染み出し漏れと勘違いし、安心して使用できないと感じたり、不快な思いをしたりすることがある。一方、特許文献２に記載の発明にあっては、視認性に優れる使い捨ておむつではあるが、バックシートの一部のみ全光線透過率が高くなるように形成するのは製造が困難である。
そこで、本発明の主たる課題は、バリヤーカフスが吸収体の裏面に延在してバックシートに固着され、固着の始端部がバリヤーカフスの起立端を形成する構造の紙おむつにおいて、バックシートの透明性は高く、バリヤーカフスの隠蔽性は高くすることにより、排泄の視認性、漏れへの安心感、脚周り部分の防水性、通気性、吸収性に優れる紙おむつを提供することにある。
【課題を解決するための手段】
【０００５】
上記課題を解決した本発明は次記のとおりである。
＜請求項１記載の発明＞
外形シートと前記外形シートの内面に股間部を中心として縦方向に延存する内装体を有する紙おむつであって、
前記内装体は、少なくとも表面シートと、吸収要素と、不透液性バックシートと、バリヤーカフスとから構成され、
前記バリヤーカフスは、前記不透液性バックシートの裏面に延在し固着され、固着の始端部が前記バリヤーカフスの起立端を形成し、
前記不透液性バックシートのＪＩＳ―Ｋ―７１０５による全光線透過率が６０％以上であり、
前記バリヤーカフスのＪＩＳ―Ｋ―７１０５による全光線透過率が４５％以下である
ことを特徴とする紙おむつ。
【０００６】
（作用効果）
本発明は、バリヤーカフスが不透液性バックシートの裏面に延在し固着され、固着の始端部が前記バリヤーカフスの起立端を形成することから、吸収要素の両側縁部を着用者側に向かって変形させ、吸収要素の両側縁部に深いポケット部を形成し、着用者の排泄物である尿、便を捕捉することができる。また、バリヤーカフスが透液性バックシートの裏面に延在し固着されていることから、吸収要素に吸収された尿が紙おむつの外部に漏れ出す恐れもない。
【０００７】
ＪＩＳ―Ｋ―７１０５による不透液性バックシートの全光線透過率が６０％以上であり、バリヤーカフスの全光線透過率が４５％以下であり、両者の全光線透過率の相違が１５％以上あることから、紙おむつに着用者の尿、便の排泄が行なわれた際、紙おむつの外部から不透液性バックシートを介し、尿、便の排泄状況を容易に視認することができる。
【０００８】
すなわち、全光線透過率が６０％以上である不透液性バックシートは透明色であり、全光線透過率が４５％以下であるバリヤーカフスは白色であり、吸収要素を構成する吸収体および／または包装シートの色彩と近似する。そして、紙おむつに着用者の尿、便の排泄が行なわれた際、吸収要素は白色から黄土色に変色するため、着用者の保護者は、不透液性バックシートを通して吸収要素の変色を容易に視認でき、着用者の尿、便の排泄が行なわれたことを認識できる。一方で、バリヤーカフスは排泄物の色を隠蔽するため、脚周り部からの漏れに対しては見た目にも安心であり、使用中に不快な思いをすることがない。
【０００９】
＜請求項２記載の発明＞
前記不透液性バックシートは、ＪＩＳ―Ｋ―７１０５による不透液性バックシートの全光線透過率が６０％以上のバックフィルムを有し、前記バリヤーカフスは、ＪＩＳ―Ｋ―７１０５による不透液性バックシートの全光線透過率が４５％以下のバリヤーフィルムを有する請求項１に記載の紙おむつ。
【００１０】
（作用効果）
請求項２に係る発明は、不透液性バックシートがバリヤーシートとバリヤーシートにバリヤーフィルムが挟持する構成であることを利用し、バックフィルムとバリヤーフィルムに異なる特性を有するものを使い分けることで、それぞれの部位に防水性を持たせながら、異なる機能を持たせている。すなわち、透明性の高いバックフィルムを有することから、不透液性バックシートも透明度に優れ、紙おむつの外部から不透液性バックシートを介し、紙おむつの内部の排泄状況を容易に視認することができ、一方、バリヤーカフスは隠蔽性の高いバリヤーフィルムを有することから、排泄物の色を隠蔽することができる。
【００１１】
＜請求項３記載の発明＞
前記バリヤーフィルムのＪＩＳ―Ｚ―０２０８による透湿度が６０００〜１２０００ｇ／ｍ2・２４ｈｒである請求項１または２に記載の紙おむつ。
【００１２】
（作用効果）
請求項３に係る発明は、バリヤーフィルムのＪＩＳ―Ｚ―０２０８による透湿度が６０００〜１２０００ｇ／ｍ2・２４ｈｒであることから、通気性に優れ、特に、着用者の股間部の肌のカブレ、ムレを防止することができる。透明性の高いバックフィルムは、一般的には透湿性は低いものとなるが、このような構成を取ることにより、紙おむつ全体としての通気性は十分なものとすることができる。
【００１３】
＜請求項４記載の発明＞
前記バリヤーカフスが固着されていない前記不透液性バックシートの幅寸法が、前記吸収要素の幅寸法に対し２５〜３０％である請求項１乃至３に記載の紙おむつ。
【００１４】
（作用効果）
請求項４に係る発明は、バリヤーカフスが固着されていない不透液性バックシートの幅寸法が、吸収要素の幅寸法に対し２５〜３０％であることから、吸収要素の両側縁部により深いポケット部を形成でき、且つ、通気性に優れる。
【００１５】
＜請求項５記載の発明＞
前記バリヤーカフスが固着されていない前記不透液性バックシートの前記吸収要素側の表面にお知らせマークが設けられている請求項１乃至４に記載の紙おむつ。
【００１６】
（作用効果）
請求項５に係る発明は、不透液性バックシートの吸収要素側の表面にお知らせマークが設けられていることから、紙おむつに着用者の尿、便の排泄が行なわれた際、お知らせマークが変色し、紙おむつの外部から不透液性バックシートを介し、着用者の排泄状況を迅速、且つ、容易に視認することができる。
【発明の効果】
【００１７】
以上のとおり、本発明によれば、排尿、排便の有無を紙おむつの外部から容易に視認でき、通気性、吸収性等の利点がもたらされる。
【図面の簡単な説明】
【００１８】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを示す、おむつを展開した状態における平面図である。
【図７】パンツタイプ使い捨ておむつの要部のみを示す、断面図である。
【図８】パンツタイプ使い捨ておむつの斜視図である。
【発明を実施するための形態】
【００１９】
以下、本発明の実施形態について、添付図面を参照しつつ詳説する。
図１〜図８は、パンツタイプ使い捨ておむつの一例１００を示している。なお、本発明は、パンツタイプ使い捨ておむつに限定されるものではなく、テープ式使い捨ておむつに適用することができる。
【００２０】
このパンツタイプ使い捨ておむつ１００は、製品外面（裏面）をなす外装シート１２と、外装シートの内面に股間部を中心として前後方向に延在する内装体２００が貼り付けられている。
内装体２００を構成する透液性の表面シート３０は、図３，７に示すように、吸収要素５０の両側縁部を周り込み、吸収要素５０の裏面に延長し、ホットメルト接着剤により吸収要素５０の裏面側に固着されている。
バリヤーカフス６０は、図３，７に示すように、表面シート３０が周り込んだ吸収要素５０の両側縁部をさらに表面シート３０の上から周り込み、吸収要素５０の裏面側にホットメルト接着剤により固着された不透液性バックシート１１の両側部まで延存し、不透液性バックシート１１の裏面側にホットメルト接着剤により固着されている。
不透液性バックシート１１を構成するバックフィルム１１ａは、開孔が極めて少ないポリエチレン樹脂から形成され、不透液性バックシート１１のＪＩＳ―Ｋ―７１０５による全光線透過率が６５％である。
バリヤーカフス６０は、撥水性不織布からなるバリヤーシート６２の間にバリヤーフィルム６４が挟持されており、ＪＩＳ―Ｋ―７１０５による全光線透過率が４０％である。また、バリヤーフィルム６４の全面には、均等に多数の開孔が設けられており、ＪＩＳ―Ｚ―０２０８による透湿度が６０００〜１２０００ｇ／ｍ２・２４ｈｒである。
【００２１】
内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。なお、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃量側部を重ね合わせるようにおむつ１００を股間部で２つに折った際に胴回り方向と直交する方向、換言すればウエスト開口部ＷＯ側と股間部側とを結ぶ方向を意味する。  
【００２２】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００２３】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２４】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００２５】
バリヤーカフス６０を設ける場合、表面シート３０の両側部は、不透液性バックシート１１とバリヤーカフス６０との間を通して、吸収要素５０の裏側まで回りこませ、液の浸透を防止するために、不透液性バックシート１１及びバリヤーカフス６０に対してホットメルト接着剤等により接着するのが好ましい。
【００２６】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００２７】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２８】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２９】
（不透液性バックシート）
不透液性バックシート１１の素材は、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。
【００３０】
不透液性バックシート１１のＪＩＳ―Ｋ―７１０５による全光線透過率が６０％以上であった場合、不透液性バックシート１１の透明度が高く、パンツタイプ使い捨ておむつ１００の外部から吸収要素５０に吸収された尿、排便の状況を容易に視認することができる。
【００３１】
高い透明度を有する不透液性バックシート１１を形成するバックフィルム１１ａとしては、ポリエチレンやポリプロピレン等のオレフィン系樹脂等からなるプラスチックフィルムを素材に用いるのが好適であり、特に、炭酸カルシウム等の無機充填剤の含有率が少なく、開孔が全面に形成されていないポリエチレン樹脂からなるフィルムが好適である。ただし、このようなポリエチレンフィルムではＪＩＳ―Ｚ―０２０８による透湿度が１０００ｇ／ｍ２・２４ｈｒ以下程度となるのが一般的であるため、通気性に劣り、吸収体の裏面側全体を覆うのは、着用者の股間部の肌のカブレ、ムレを防止するうえで好ましくないとされている。
【００３２】
そのため、不透液性バックシート１１は、着用者の尿を最も多く吸収する吸収要素５０の幅方向中心部に設けるのが好ましく、パンツタイプ使い捨ておむつ１００においては、バリヤーフィルム６４の延在部を除く不透液性バックシート１１の幅が、吸収要素５０の吸収体５６の幅に対し、１５〜４０％、より好適には２５〜３０％の領域に設けられている。
【００３３】
不透液性バックシート１１の幅方向両側部には、後述するバリヤーカフス６０のバリヤーフィルム６４がホットメルト接着剤により取付部分６５で固着されているため、吸収要素５０に吸収された尿、便がパンツタイプ使い捨ておむつ１００の外部に漏れ出す恐れはない。なお、パンツタイプ使い捨ておむつ１００においては、不透液性バックシート１１とバリヤーフィルム６４の延在部の幅は、左右それぞれ５〜２０ｍｍ程度が適当であり、不透液性バックシート１１の内側には、後述するＰＨ変化によって色が変化するお知らせマークを設けられている。
【００３４】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００３５】
より詳細には、バリヤーカフス６０は、内装体２００の前後方向長さに等しい長さを有する帯状のバリヤーシート６２を幅方向に折り返して二つに折り重ねバリヤーフィルム６４を挟持するとともに、折り返し部分及びその近傍のシート間に、細長状弾性伸縮部材６３を長手方向に沿って伸張状態で、幅方向に間隔をあけて複数本固定している。
【００３６】
バリヤーカフス６０のうち幅方向において折り返し部分と反対側の端部は、不透液性バックシート１１の両側部の裏面に固定された取付部分６５とされ、この取付部分６５以外の部分は取付部分６５から突出する突出部分６６（折り返し部分側の部分）とされている。  また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸張状態で固定されている。
【００３７】
バリヤーシート６２としては、スパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。
【００３８】
バリヤーフィルム６４としては、ポリエチレンやポリプロピレン等のオレフィン系樹脂等からなるプラスチックフィルムを用いることができる。
【００３９】
バリヤーフィルム６４に、均等に多数の開孔を形成し、バリヤーフィルム６４のＪＩＳ―Ｋ―７１０５による全光線透過率を４５％以下、より好適には３５％以下にした場合、バリヤーカフス６０の色彩が、吸収要素５０の吸収体５６、包装シート５８の色彩と近似する白色になる。
【００４０】
また、バリヤーカフス６０には、ムレ防止の観点から不透液性かつ通気性を有する素材を用いることが好ましく、通気性を有するプラスチックフィルムとしては、ポリエチレンやポリプロピレン等のオレフィン系樹脂、特にポリエチレン樹脂中に炭酸カルシウム等の無機充填剤を混練して、シートを成形した後、一軸又は二軸方向に延伸して得られた微多孔性プラスチックフィルムを用いることができる。このようにして形成した微多孔性プラスチックフィルムは、一般的にＪＩＳ―Ｋ―７１０５による全光線透過率が４５％以下となるものの、ＪＩＳ―Ｚ―０２０８による透湿度は６０００〜１２０００ｇ／ｍ２・２４ｈｒ、特に、９０００〜１２０００ｇ／ｍ２・２４ｈｒとすることができ、そうすると、通気性に優れ、特に、着用者の股間部の肌のカブレ、ムレを防止することができる。
【００４１】
すなわち、不透液性バックシート１１のバックフィルム１１ａに開孔が形成されておらず通気性に乏しいものを用いる場合に、バリヤーカフス６０のバリヤーフィルム６４には透湿度が６０００〜１２０００ｇ／ｍ２・２４ｈｒ、特に、９０００〜１２０００ｇ／ｍ２・２４ｈｒのものを用いることによりパンツタイプ使い捨ておむつ１００全体での通気性を高め、着用者の股間部の肌のカブレ、ムレを防止するものである。
【００４２】
バリヤーカフス６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００４３】
バリヤーカフス６０の取付部分６５の固定対象は、内装体２００における表面シート３０、不透液性バックシート１１、吸収要素５０等適宜の部材とすることができる。
【００４４】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００４５】
バリヤーカフス６０の寸法は適宜定めることができるが、乳幼児用紙おむつの場合は、例えば図７に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０を表面シート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００４６】
なお、図示形態と異なり、内装体２００の左右各側においてバリヤーカフスを二重に（二列）設けることもできる。
【００４７】
（吸収要素）
吸収要素５０は、吸収体５６と、この吸収体５６の全体を包む包装シート５８とを有する。包装シート５８は省略することもできる。
【００４８】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４９】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体とバリヤーカフス６０の、脚回りへのフィット性が向上するため好ましい。
【００５０】
また、吸収体の寸法は適宜定めることができるが、前後方向及び幅方向において、内装体の周縁部又はその近傍まで延在しているのが好ましい。
【００５１】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５２】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５３】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００５４】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５５】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００５６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５７】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００５８】
（お知らせマーク）
お知らせマーク８０としては、特に制限はなく、公知のお知らせマークを用いることができる。パンツタイプ使い捨ておむつ１００においては、図４に示すように、親水性不織布８２の表面にＰＨ変化により変色するインキ８２が印刷されたものである。吸収要素５０の裏面側に親水性不織布８２を設けることにより、吸収要素５０に吸収された尿がインキ８２に浸透し、インキ８２が変色し、排尿、排便の状況を視認することができる。
【００５９】
ＰＨ変化により変色するインキ８２は、少なくとも酸性化合物と中性及びアルカリ性領域で色が変化する呈色指示薬が含有されている。
【００６０】
酸性化合物としては、ロジン酸、重合ロジン、酢酸ビニルホモポリマー、エチレン／酢酸ビニルコポリマー及びエチレン／アクリル酸コポリマー等の高分子化合物、ステアリン酸およびオレイン酸などの脂肪酸、Ｌ−アスコルビン酸、ニコチン酸、Ｌ−グルタミン酸、乳酸、コハク酸等を単独で又は組み合わせて使用することができ、インキ８２成分の全量に対して、５０〜９９重量％の割合で、好ましくは５０〜７０重量％の割合で配合するのが望ましい。
【００６１】
中性及びアルカリ性領域で色が変化する呈色指示薬としては、ブロモフェノールブルー、メチルオレンジ、アリザリンＳ、ブロモクレゾールグリーン、メチルレッド、ブロモクレゾールパープル等を好適に使用することができる。この呈色指示薬の含有量は、インキ８２成分の全量に対して０．０５〜５０重量％、好ましくは０．０１〜５重量％、より好ましくは０．０５〜１重量％の割合で配合するのが望ましい。
【００６２】
（外装シート）
外装シート１２は、股間部から腹側に延在する前身頃Ｆと、股間部から背側に延在する後身頃Ｂとを有し、これら前身頃Ｆの両側部と後身頃Ｂの両側部とが接合されて、図８に示すように、装着者の胴を通すための胴開口部ＷＯ及び脚を通すための左右一対の脚開口部ＬＯが形成されているものである。符号１２Ａは接合部分を示している（以下、この部分をサイドシール部ともいう）。なお、股間部とは、展開状態における前身頃のウエスト端縁から後身頃のウエスト端縁までの前後方向中央を意味し、それよりも前側の部分及び後側の部分が前身頃Ｆ及び後身頃Ｂをそれぞれ意味する。
【００６３】
外装シート１２は、胴開口部ＷＯから脚開口部ＬＯの上端に至る前後方向範囲として定まる胴周り部Ｔと、脚開口部ＬＯを形成する部分の前後方向範囲として定まる中間部Ｌとを有する。胴周り部Ｔは、概念的に「ウエスト側端部」Ｗと「胴周り下部」Ｕとに分けることができる。これらの前後方向の長さは、製品のサイズによって異なり、適宜定めることができるが、一例を挙げると、ウエスト側端部Ｗは１５〜４０ｍｍ、胴周り下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図８に示す形態のように、すっきりとした外観とするために最も幅が狭い部分では内装体２００の幅より狭くすることが好ましいが、最も幅が狭い部分でも内装体２００の幅以上となるように定めてもよい。
【００６４】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００６５】
シート基材１２Ｓ，１２Ｈとしては、シート基材であれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００６６】
また、外装シート１２を通して、排尿、排便による吸収要素５０の変色、お知らせマーク、後述する印刷シート２５のデザインを製品外面から良好に視認できるように、外装シート１２の総目付けは２０〜６０ｇ／ｍ2程度であるのが好ましく、外装シート１２のＪＩＳ  Ｋ  ７１０５による全光線透過率が６０％以上、特に７０％以上となっているのが好ましい。
【００６７】
そして、外装シート１２には、胴回りに対するフィット性を高めるために、両シート基材１２Ｓ，１２Ｈ間に糸ゴム等の細長状弾性伸縮部材１５〜１９が所定の伸張率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００６８】
より詳細には、後身頃Ｂ及び前身頃Ｆのウエスト端部（上端部）Ｗにおける内側シート基材１２Ｈの内側面と外側シート基材１２Ｓの折り返し部分１２ｒの外側面との間には、幅方向全体にわたり連続するように、複数のウエスト部弾性伸縮部材１７，１８が上下方向に間隔を空けて、かつ所定の伸張率で幅方向に沿って伸張された状態で固定されている。また、ウエスト部弾性伸縮部材１７，１８のうち、胴周り下部Ｕに隣接する領域に配設される１本または複数本については、内装体２００と重なっていてもよいし、内装体２００と重なる幅方向中央部を除いてその幅方向両側にそれぞれ設けてもよい。このウエスト弾性伸縮部材１７，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、ウエスト部弾性伸縮部材１７，１８は、その全てが同じ太さと伸張率にする必要はなく、例えばウエスト側端部Ｗの上部と下部で弾性伸縮部材の太さと伸張率が異なるようにしてもよい。
【００６９】
また、前身頃Ｆ及び後身頃Ｂの胴周り下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、複数の細長状弾性伸縮部材１５，１９が上下方向に間隔を空けて、かつ所定の伸張率で幅方向に沿って伸張された状態で固定されている。
【００７０】
胴回り下部Ｕの細長状弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００７１】
また、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、複数の細長状弾性伸縮部材１６が上下方向に間隔を空けて、かつ所定の伸張率で幅方向に沿って伸張された状態で固定されている。
【００７２】
中間部Ｌの細長状弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００７３】
なお、図示のように、胴回り下部Ｕ及び中間部Ｌの細長状弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがないため好ましい。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。もちろん細長状弾性伸縮部材１５，１９，１６，１８の配設形態は上記例に限るものではなく、胴回り下部Ｕの幅方向全体にわたり伸縮力が作用するように、胴回り下部Ｕの細長状弾性伸縮部材１５，１９，１６，１８の一部または全部を、内装体２００を横切ってその幅方向一方側から他方側まで設けることもできる。
【００７４】
また、細長状弾性伸縮部材１５〜１９が後述する印刷シート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００７５】
（後処理テープ）
外装シート１２の後身頃Ｂの外面における幅方向中央部には、後処理テープ７０（固定手段）が設けることができる。後処理テープ７０は、おむつ１００を表面シート３０が内側に且つ前身頃Ｆが内側となるように丸め若しくは折り畳んだ状態で固定するためのものである。一般的な後処理テープ７０は、図５に示すように、基端部７１が外装シート１２の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
【００７６】
廃棄時には、おむつ１００を表面シート３０が内側になるとともに前身頃Ｆが内側となるように丸め若しくは折り畳んだ後、後処理テープ７０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
【００７７】
後処理テープ７０等の固定手段は、前身頃Ｆに設けてもよく、後身頃Ｂと前身頃Ｆの両方に設けてもよい。
【００７８】
（印刷シート）
不透液性バックシート１１と外装シート１２との間（外装シート１２の層間を含む）には、印刷によりデザインの施された印刷シート２５が設けられている。外装シート１２を省略し、印刷シート２５が外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００７９】
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
【００８０】
印刷シート２５のシート基材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００８１】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができ、排尿、排便による吸収要素５０の変色、お知らせマーク、印刷シート２５のデザインを製品外面から良好に視認上で好適である。
【００８２】
内装体における不透液性バックシートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができ、股間部外装シートのＪＩＳ  Ｋ  ７１０５による全光線透過率が６０％以上、特に７０％以上とするのが好ましい。股間部外装シートも本発明の外装シートに相当する。
【産業上の利用可能性】
【００８３】
本発明は、上記例のような紙おむつに利用できるものである。
【符号の説明】
【００８４】
１１…不透液性バックシート、１１ａ…バックフィルム、１２…外装シート、１２ｒ…折り返し部分、２５…印刷シート、２００…内装体、３０…表面シート、４０…中間シート、５０…吸収要素、５６…吸収体、５８…包装シート、６０…側部バリヤーカフス、６２…バリヤーシート、６４…バリヤーフィルム、７０…後処理テープ、８０…お知らせマーク
【図１】
2011229866.tif 000003
【図２】
2011229866.tif 000004
【図３】
2011229866.tif 000005
【図４】
2011229866.tif 000006
【図５】
2011229866.tif 000007
【図６】
2011229866.tif 000008
【図７】
2011229866.tif 000009
【図８】
2011229866.tif 000010